【事件の表示】
　特願２０１３−　９１９４１「画像表示装置、それを含む画像表示システム、及びその制御方法」拒絶査定不服審判事件〔平成２６年　２月１３日出願公開、特開２０１４−　２９４７４、請求項の数（８）〕について、次のとおり審決する。
【結　論】
　原査定を取り消す。
　本願の発明は、特許すべきものとする。
【理　由】
第１　手続の経緯　
　本願は、平成２５年４月２５日（優先権主張　平成２４年６月２６日（以下、「優先日」という。））の出願であって、平成２８年１２月１３日付けで拒絶理由が通知され、平成２９年２月９日付けで手続補正がなされたが、平成２９年３月２４日付けで、拒絶査定（以下、「原査定」という）がなされ、これに対し、平成２９年６月１２日に拒絶査定不服審判が請求され、同時に手続補正がなされたものである。
第２　原査定の概要
　原査定の概要は次の通りである。
　この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　　　　　記　　　
・請求項　１−２、５、８
・引用文献等　１−４、６
・請求項　６−７
・引用文献等　１−６
引用文献等一覧
１．特開２００５−１９６３４８号公報
２．特開２０００−０６６６４７号公報
３．特開平０８−０５５０６７号公報
４．特開２００２−３５８０６０号公報
５．特開２００７−１４８３５０号公報
６．特開２０００−１８７５６７号公報
第３　本願発明
　本願の請求項１−８に係る発明（以下、「本願発明１」−「本願発明８」という。）は、平成２９年６月１２日付けの手続補正で補正された特許請求の範囲の請求項１−８に記載された事項により特定される以下のとおりのものである。
「【請求項１】
　メモリ上に構成された仮想ページ単位で画像を表示する画像表示装置であって、
　画像を表示する表示手段と、
　前記メモリ上に、前記仮想ページを構成する機能、及び画像データを仮想ページ単位で記憶する機能を有する仮想ページ制御手段と、
　データを受信する受信手段と、
　前記受信手段により受信されたデータを、前記表示手段により画像として表示する指示を受付ける入力手段とを含み、
　前記仮想ページ制御手段は、前記メモリ上に、オブジェクトを含まない仮想ページを確保する確保手段を含み、
　ユーザの操作により、表示されている画像を前記仮想ページ単位で操作する処理が繰返される間に、前記受信手段によりデータが受信され、且つ、前記入力手段が前記指示を受けたことに応じて、前記仮想ページ制御手段は、前記確保手段により、前記メモリに仮想ページを新たに追加することにより、オブジェクトを含まない前記仮想ページを確保して、当該仮想ページに、前記受信手段により受信されたデータに基づく画像データを記憶し、
　前記表示手段は、前記受信手段により受信されたデータに基づく画像データを記憶した仮想ページに書込まれた前記画像データを画像として表示することを特徴とする画像表示装置。
　　【請求項２】
　オブジェクトを含まない仮想ページが前記確保手段により確保される前に、構成されている仮想ページが、前記表示手段により画像として表示されるオブジェクトを含むか否かを判定する判定手段をさらに含み、
　前記入力手段が指示を受けたことに応じて、前記判定手段は、前記表示手段により表示中の画像に対応する仮想ページが前記オブジェクトを含むか否かを判定し、
　前記仮想ページ制御手段は、前記判定手段による判定結果に応じて、表示中の前記画像の次に表示される画像に対応する領域として、前記確保手段により新たに確保した仮想ページに、前記受信手段により受信されたデータに基づく画像データを記憶する請求項１に記載の画像表示装置。
　　【請求項３】
　前記入力手段は、前記表示手段により表示されるアイコンを含み、
　前記アイコンの表示態様は、前記受信手段により前記データが受信されたことを受けて、変化することを特徴とする請求項１又は２に記載の画像表示装置。
　　【請求項４】
　前記入力手段は、前記受信手段により、前記データが受信されたことを受けて、前記表示手段により表示されるアイコンを含むことを特徴とする請求項１又は２に記載の画像表示装置。
　　【請求項５】
　オブジェクトを含まない仮想ページが前記確保手段により確保される前に、構成されている仮想ページが、前記表示手段により画像として表示されるオブジェクトを含むか否かを判定する判定手段をさらに含み、
　前記入力手段が指示を受けたことに応じて、前記判定手段は、前記表示手段により表示中の画像に対応する仮想ページが前記オブジェクトを含むか否かを判定し、
　前記仮想ページ制御手段は、複数の前記仮想ページの全てに関する前記判定手段による判定結果に応じて、前記オブジェクトを含むと判定された仮想ページに記憶されたデータのうち最後に画像として表示されるデータの次に、画像として表示されるデータを記憶するための領域として、前記確保手段により新たに確保した仮想ページに、前記受信手段により受信されたデータに基づく画像データを記憶することを特徴とする請求項１に記載の画像表示装置。
　　【請求項６】
　前記受信手段により受信されたデータに、複数の画像を１ページに集約して表示するための集約条件が含まれていることを受けて、前記表示手段は、前記受信手段により受信された、複数ページの画像として前記表示手段に表示されるデータに基づく画像データを、前記集約条件にしたがって、前記表示手段に画像として表示することを特徴とする請求項１から５の何れかに記載の画像表示装置。
　　【請求項７】
　請求項１から６の何れかに記載された画像表示装置と、
　前記画像表示装置と通信可能な携帯端末装置とを含み、
　前記携帯端末装置は、データを前記画像表示装置に送信することを特徴とする画像表示システム。
　　【請求項８】
　画像を表示する表示手段と、データを記憶するメモリと、データを受信する受信手段とを備えた画像表示装置の制御方法であって、
　前記メモリ上に仮想ページを構成するステップと、
　前記受信手段により受信されたデータを、前記表示手段により画像として表示する指示を受付けるステップと、
　ユーザの操作により、表示されている画像を前記仮想ページ単位で操作する処理が繰返される間に、前記受信手段によりデータが受信され、且つ、前記指示を受付けたことに応じて、前記メモリに仮想ページを新たに追加することにより、前記メモリ上に、オブジェクトを含まない仮想ページを確保する確保ステップと、
　前記確保ステップにより確保されたオブジェクトを含まない前記仮想ページに、前記受信手段により受信されたデータに基づく画像データを記憶する記憶ステップと、
　前記受信手段により受信されたデータに基づく画像データを前記記憶ステップにより記憶した仮想ページに書込まれた前記画像データを画像として表示するステップとを含むことを特徴とする画像表示装置の制御方法。」
第４　引用文献、引用発明等
１　引用文献１について
　原査定の拒絶の理由で引用された引用文献１には、図面とともに、次の事項が記載されている（下線は、当審で付与したものである。以下同様。）。
ａ　「【０００１】
  
ページ単位に画面表示を行う情報表示装置
ｂ　「【００２４】
  図１における本発明の
情報表示装置は、ＣＰＵ（CentralProcessing Unit）１、ＲＯＭ（Read Only Memory）２、記憶装置（ＲＡＭ：Random Access Memory）３、Ｉ／Ｏ４、グラフィックアクセラレータ（ＧＡ）５、ディスプレイコントローラ（ＤＣ）６、ディスプレイ７により構成される。
  ＣＰＵ１、ＲＯＭ２、記憶装置（ＲＡＭ）３、Ｉ／Ｏ４、グラフィックアクセラレータ５、ディスプレイコントローラ６は、バス８により相互に接続されており、Ｉ／Ｏ４を介して、図示しないキーボード、タッチパネル、マウス、音声回路、ネットワークインターフェース（Ｉ／Ｆ）、メモリカードインターフェース、タイマ（時刻記憶・更新手段）等と接続される。」
ｃ　「【００２６】
  ＲＡＭ３は、ＣＰＵ１が制御動作を行う際に、制御プログラムを記憶したり、生成されたデータを一時的に保持したりする。なお、ＲＡＭ３のメモリ構成（メモリマップ）については後述する。
  
Ｉ／Ｏ４は、
ネットワークインターフェース（Ｉ／Ｆ）
等とデータを送受信する際に、入出力する信号を制御するインターフェースである。
ｄ　「【００２９】
  
ディスプレイコントローラ６は、ＲＡＭ３の所定ページバッファに記憶された表示データを読み出し、
読み出した表示データをディスプレイ７に表示させる。
  また、ディスプレイコントローラ６は、図示しないレジスタを備えており、このレジスタに、表示ページ（ページバッファから読み出され、ディスプレイ７に表示されるページ）の先頭アドレスを示すページバッファ開始アドレスを記憶することが可能である。そして、ディスプレイコントローラ６は、このレジスタに特定のアドレスを記憶することにより、表示ページの読み出し先となるページバッファを設定することが可能である。」
ｅ　「【００３１】
  
ディスプレイ７は、ディスプレイコントローラ６と接続され、ディスプレイコントローラ６の出力に基づいて画像の表示を行う。
  なお、上述の説明においては、情報表示装置がバスマスタアクセス機能を備える場合について説明したが、回路設計上、バスマスタアクセス機能を備えることが困難な場合は、既存の技術の一つとして知られているように、バス８上にＤＭＡ回路を追加し、ＤＭＡによるデータ転送を行うことも可能である。
＜ソフトウェア構成＞
  次に、ソフトウェア構成について説明する。
【００３２】
  図２は本発明の第１の実施の形態における情報表示装置のソフトウェア構成を示した図である。
  図２に示すように、
情報表示装置上で機能するソフトウェアは、主に、ＯＳ（システムプログラム）１０と、ブラウザ（アプリケーションプログラム）１１とによって構成される。
【００３３】
  ＯＳ１０には、メモリ管理モジュール１０ａが内蔵されていて、
ブラウザ１１には
ページ管理モジュール１１ｃとが内蔵されている。
  メモリ管理モジュール１０ａは、メモリ３において、ＯＳ１０あるいはブラウザ１１のプログラムが記憶される領域、および、ＯＳ１０あるいはブラウザ１１によって使用されるヒープ領域の確保あるいは解放といった汎用のオペレーティンスシステムが行う処理を行う。なお、メモリ管理モジュール１０ａによって確保されたメモリ３上の領域を、以下、適宜「システム領域」と称する。」
ｆ　「【００３６】
  ヒストリ管理モジュール１１ｂは、各ページバッファに記憶された表示データのページ番号を、表示された順序、表示された時刻および表示された回数と対応付けて記憶している。
  
ページ管理モジュール１１ｃは、メモリ３において、システム領域として使用されていない領域を、ページバッファを形成するための
ページバッファ専用領域
として確保する。
ページバッファ専用領域に、所定数のページバッファを形成し、このページバッファに対するデータの書き込みや読み出し、ページバッファの形成や解放等を管理する。
ｇ　「【００４３】
  
ページバッファの
１枚あたりの大きさは、
１枚あたりの大きさはディスプレイ１画面分の記憶容量と等価とし
ｈ　「【００４５】
  また、ページ管理モジュール１１ｃが、ページバッファの数や容量を動的に変化させるような構成にすることも可能である。この場合、ページバッファは必要に応じて、ページ管理モジュール１１ｃによって確保または解放されるようになる。新たにページバッファを確保するときは、
ページ管理モジュール１１ｃによって管理されているメモリ領域の空き領域に、新たなページバッファが確保される。
ｉ　「【００５７】
  図５（１）において、
ページバッファ２１には既に閲覧済みの１ページ目のラスタ画像が格納されていて、ページバッファ２２には現在閲覧中の２ページ目のラスタ画像が格納されている。
【００５８】
  次に、図５（２）において、
使用者が
ページ送りを指示すると、
ページ管理モジュール１１ｃは、空き領域の残量を確認し、十分な容量があれば、空き領域の中からページバッファを１枚新たに確保する。
ｊ　「【００６０】
  
そして、確保したページバッファ２３を描画ページに指定して、グラフィックアクセラレータ５に３ページ目の描画を行わせる。
　ここで、段落【００５７】の記載から、段落【００６０】の「ページバッファ２３」に描画される「３ページ目」は、閲覧中の次のページであることは、明らかであるから、
　上記ａ〜ｊより、引用文献１には、次の発明（以下、「引用発明１」という。）が記載されている（括弧内は、認定に用いた引用文献１の記載箇所を示す。）。
「ページ単位に画面表示を行う情報表示装置であって（【０００１】）、
　情報表示装置は、ＣＰＵ（CentralProcessing Unit）１、ＲＯＭ（Read Only Memory）２、記憶装置（ＲＡＭ：Random Access Memory）３、Ｉ／Ｏ４、グラフィックアクセラレータ（ＧＡ）５、ディスプレイコントローラ（ＤＣ）６、ディスプレイ７により構成され（【００２４】）、
　情報表示装置上で機能するソフトウェアは、主に、ＯＳ（システムプログラム）１０と、ブラウザ（アプリケーションプログラム）１１とによって構成され、ブラウザ１１にはページ管理モジュール１１ｃとが内蔵されており（【００３２】、【００３３】）、
　ディスプレイコントローラ６は、ＲＡＭ３の所定ページバッファに記憶された表示データを読み出し、読み出した表示データをディスプレイ７に表示させ（【００２９】）、
　ディスプレイ７は、ディスプレイコントローラ６と接続され、ディスプレイコントローラ６の出力に基づいて画像の表示を行い（【００３１】）、
　Ｉ／Ｏ４は、ネットワークインターフェース（Ｉ／Ｆ）等とデータを送受信する際に、入出力する信号を制御するインターフェースであり（【００２６】）、
　ページバッファの１枚あたりの大きさは、ディスプレイ１画面分の記憶容量と等価とし（【００４３】）、
　ページ管理モジュール１１ｃは、メモリ３において、システム領域として使用されていない領域を、ページバッファを形成するためのページバッファ専用領域として確保し、ページバッファ専用領域に、所定数のページバッファを形成し、このページバッファに対するデータの書き込みや読み出し、ページバッファの形成や解放等を管理し（【００３６】）、
　使用者がページ送りを指示すると、ページ管理モジュール１１ｃは、ページ管理モジュール１１ｃによって管理されているメモリ領域の空き領域の残量を確認し、十分な容量があれば、空き領域の中からページバッファを１枚新たに確保し（【００４５】、【００５８】）、そして、確保したページバッファ２３を描画ページに指定して、グラフィックアクセラレータ５に閲覧中の次のページの描画を行わせる（【００６０】）情報表示装置（【０００１】）。」
２　引用文献２について
　原査定の拒絶の理由で引用された引用文献２には、図面とともに、次の事項が記載されている。
ａ　「【００１３】
【発明の実施の形態】以下、この発明の実施の形態にかかる映像描画装置について説明する。
（第１の実施の形態）この発明の第１の実施の形態にかかる
映像描画装置は、
記憶部１と、入力装置（入力部）２と、画像メモリ３と、描画部４と、映像出力部５と、映像表示装置（映像表示部）６と、から構成される。
ｂ　「【００１７】
描画部４は、
ページ画像描画手段（ページ画像描画部）４２
から構成される。
ページデータ描画部４２は、
ページ画像を
第１の画像メモリ３１及び第２の画像メモリ３２に供給する。
【００１８】
映像出力部５は、
画像出力手段（画像出力部）５１
を備える。画像出力部５１は、第１の画像メモリ３１又は第２の画像メモリ３２が記憶している画像データを読み取り、
映像表示部６に出力する。
【００１９】
映像表示部６は、
映像出力部５から供給される映像信号が表す画像を、
表示する。
　上記ａ、ｂより、引用文献２には、次の発明（以下、「引用発明２」という。）が記載されている（括弧内は、認定に用いた引用文献２の記載箇所を示す。）。
「映像描画装置は、記憶部１と、入力装置（入力部）２と、画像メモリ３と、描画部４と、映像出力部５と、映像表示装置（映像表示部）６と、から構成され（【００１３】）、
　描画部４は、ページ画像描画手段（ページ画像描画部）４２から構成され、ページデータ描画部４２は、ページ画像を、第１の画像メモリ３１及び第２の画像メモリ３２に供給し（【００１７】）、
　映像出力部５は、画像出力手段（画像出力部）５１を備え、画像出力部５１は、第１の画像メモリ３１又は第２の画像メモリ３２が記憶している画像データを読み取り、映像表示部６に出力し（【００１８】）、
　映像表示部６は、映像出力部５から供給される映像信号が表す画像を、表示する（【００１９】）映像描画装置。」
３　引用文献３について
　原査定の拒絶の理由で引用された引用文献３には、図面とともに、次の事項が記載されている。　
「【００３２】
受信側の装置も同様に黒板ウィンドウ４０２が表示される。
送信側の黒板ウィンドウ４０２と同じ範囲に同じ画像４０６が表示される。
４　引用文献４について
　原査定の拒絶の理由で引用された引用文献４には、図面とともに、次の事項が記載されている。　
「【０１２２】プロジェクタ２００では、プロジェクタ表示データを受信すると、ステップＳ５６６〜Ｓ５７４，Ｓ５３８を経て、受信したプロジェクタ表示データに含まれる
各ページデータが、
スタック領域に格納され、
５　引用文献５について
　原査定の拒絶の理由で引用された引用文献５には、図面とともに、次の事項が記載されている。　
「【００１０】
  上記構成によれば、
表示用データを受信すると、表示領域分割手段によって、表示装置の表示領域が、現在とは異なる数の分割領域に分割される。
【００１１】
  さらに、この分割は、通信部が送信端末装置から表示用データを受信したことに応答して、自動的に行われる。これにより、表示用データが順次送信されてくる場合であっても、ユーザが分割のために一々画像出力装置に対して分割を指示する必要がない。つまり、送信端末装置から受信した表示用データに対応する画像を表示装置に簡便に一覧表示させることができる。」
６　引用文献６について
　原査定の拒絶の理由で引用された引用文献６には、図面とともに、次の事項が記載されている。
「【００３２】
印刷データバッファ２０５の容量がフル状態であると検知した場合、
ホストコンピュータ内のＲＡＭ領域の空きを検出する（Ｓ３０５）。さらに、ホストコンピュータ内のＲＡＭ領域に追加印刷データバッファを確保可能か判定する（Ｓ３０６）。追加印刷データバッファ２１３を確保可能であると判定した場合、ホストコンピュータ内のＲＡＭ領域に追加印刷データバッファ２１３を確保する（Ｓ３０７）。
第５　対比・判断
１　本願発明１について
（１）引用発明１を主たる引用発明とした場合
ア　対比
　本願発明１と引用発明１を対比すると、次のことがいえる。
（ア）引用発明１の「記憶装置（ＲＡＭ、メモリ）３」、「ページバッファ」、「情報表示装置」、「ディスプレイ７」、「表示データ」は、それぞれ、本願発明１の「メモリ」、「仮想ページ」、「画像表示装置」、「表示手段」、「画像データ」に相当する。
（イ）引用発明１は「ＲＡＭ３の所定ページバッファに記憶された表示データを読み出し、読み出した表示データをディスプレイ７に表示させ」、「ページバッファの１枚あたりの大きさは、ディスプレイ１画面分の記憶容量と等価」であるから、引用発明１の「ページ単位に画面表示を行う情報表示装置」は、本願発明１の「メモリ上に構成された仮想ページ単位で画像を表示する画像表示装置」に相当する。
（ウ）引用発明１の「ディスプレイコントローラ６と接続され、ディスプレイコントローラ６の出力に基づいて画像の表示を行」う「ディスプレイ７」は、本願発明１の「画像を表示する表示手段」に相当する。
（エ）引用発明１の「ページ管理モジュール１１ｃ」の「メモリ３において、システム領域として使用されていない領域を、ページバッファを形成するためのページバッファ専用領域として確保し、ページバッファ専用領域に、所定数のページバッファを形成」する機能は、本願発明１の「前記メモリ上に、前記仮想ページを構成する機能」に相当する。
　また、引用発明１の「ページ管理モジュール１１ｃ」の「このページバッファに対するデータの書き込み」する機能は、本願発明１の「画像データを仮想ページ単位で記憶する機能」に相当する。
　そして、引用発明１の「ページ管理モジュール１１ｃ」は、「情報表示装置上で機能するソフトウェア」であるから、「ＣＰＵ（CentralProcessing Unit）１」によって実行されるものである。
　したがって、引用発明１の「ＣＰＵ（CentralProcessing Unit）１」と協働して、「メモリ３において、システム領域として使用されていない領域を、ページバッファを形成するためのページバッファ専用領域として確保し、ページバッファ専用領域に、所定数のページバッファを形成し、このページバッファに対するデータの書き込」む機能を実行する「ページ管理モジュール１１ｃ」は、本願発明１の「前記メモリ上に、前記仮想ページを構成する機能、及び画像データを仮想ページ単位で記憶する機能を有する仮想ページ制御手段」といえる。
（オ）引用発明１の「ネットワークインターフェース（Ｉ／Ｆ）等とデータを送受信する際に、入出力する信号を制御するインターフェースであ」る「Ｉ／Ｏ４」は、本願発明１の「データを受信する受信手段」に相当する。
（カ）引用発明１は、「確保したページバッファ２３を描画ページに指定して、グラフィックアクセラレータ５に閲覧中の次のページの描画を行わせる」のであるから、描画前の新たに「確保したページバッファ２３」は、「表示データ」を含んでおらず、
　引用発明１において、「ページ管理モジュール１１ｃ」が「メモリ領域の」「空き領域の中からページバッファを１枚新たに確保」することは、本願発明１の「前記メモリ上に、オブジェクトを含まない仮想ページを確保する」ことに相当する。
　そして、引用発明１の「ページ管理モジュール１１ｃ」は、「情報表示装置上で機能するソフトウェア」であるから、引用発明１の「ＣＰＵ（CentralProcessing Unit）１」と協働して、「空き領域の中からページバッファを１枚新たに確保」する「ページ管理モジュール１１ｃ」は、本願発明１の「前記仮想ページ制御手段」に含まれる「前記メモリ上に、オブジェクトを含まない仮想ページを確保する確保手段」に相当する。
（キ）上記（カ）を踏まえると、引用発明１の「ＣＰＵ（CentralProcessing Unit）１」と協働して、「ページ管理モジュール１１ｃは、」「メモリ領域の」「空き領域の中からページバッファを１枚新たに確保し、そして、確保したページバッファ２３を描画ページに指定して、グラフィックアクセラレータ５に閲覧中の次のページの描画を行わせる」ことと、本願発明１の「前記仮想ページ制御手段は、前記確保手段により、前記メモリに仮想ページを新たに追加することにより、オブジェクトを含まない前記仮想ページを確保して、当該仮想ページに、前記受信手段により受信されたデータに基づく画像データを記憶し」とは、「前記仮想ページ制御手段は、前記確保手段により、前記メモリに仮想ページを新たに追加することにより、オブジェクトを含まない前記仮想ページを確保して、当該仮想ページに、データに基づく画像データを記憶し」の点で共通する。
（ク）引用発明１の「ディスプレイコントローラ６は、ＲＡＭ３の所定ページバッファに記憶された表示データを読み出し、読み出した表示データをディスプレイ７に表示させ、ディスプレイ７は、ディスプレイコントローラ６と接続され、ディスプレイコントローラ６の出力に基づいて画像の表示を行」うことと、本願発明１の「前記表示手段は、前記受信手段により受信されたデータに基づく画像データを記憶した仮想ページに書込まれた前記画像データを画像として表示する」こととは、「前記表示手段は、データに基づく画像データを記憶した仮想ページに書込まれた前記画像データを画像として表示する」ことの点で共通する。
　すると、本願発明１と引用発明１とは、次の一致点及び相違点を有する。
（一致点）
「メモリ上に構成された仮想ページ単位で画像を表示する画像表示装置であって、
　画像を表示する表示手段と、
　前記メモリ上に、前記仮想ページを構成する機能、及び画像データを仮想ページ単位で記憶する機能を有する仮想ページ制御手段と、
　データを受信する受信手段と、
　前記仮想ページ制御手段は、前記メモリ上に、オブジェクトを含まない仮想ページを確保する確保手段を含み、
　前記仮想ページ制御手段は、前記確保手段により、前記メモリに仮想ページを新たに追加することにより、オブジェクトを含まない前記仮想ページを確保して、当該仮想ページに、データに基づく画像データを記憶し、
　前記表示手段は、データに基づく画像データを記憶した仮想ページに書込まれた前記画像データを画像として表示する画像表示装置。」
（相違点１）
　本願発明１は、「前記受信手段により受信されたデータを、前記表示手段により画像として表示する指示を受付ける入力手段とを含」むのに対して、引用発明１は、そのような特定がない点。
（相違点２）
　本願発明１は、「ユーザの操作により、表示されている画像を前記仮想ページ単位で操作する処理が繰返される間に、前記受信手段によりデータが受信され」るのに対して、引用発明１は、「データを送受信する」が、「データ」が、どのようなときに受信されるか特定がない点。
（相違点３）
　本願発明１は、「前記入力手段が前記指示を受けたことに応じて」「当該仮想ページに、前記受信手段により受信されたデータに基づく画像データを記憶」するのに対して、引用発明１は、「データを送受信する」が、「データ」がどのようなデータであるか特定されておらず、受信されたデータに基づく画像データを記憶することの特定がない点。
（相違点４）
　本願発明１は、「前記表示手段は、前記受信手段により受信されたデータに基づく画像データを」「画像として表示する」のに対して、引用発明１は、「データを送受信する」が、「データ」がどのようなデータであるか特定されておらず、受信されたデータに基づく画像データを画像として表示することの特定がない点。
イ　判断
　事案に鑑みて、上記相違点２、３についてまとめて検討する。
　引用文献２−４、６には、ユーザの操作により、表示されている画像を仮想ページ単位で操作する処理が繰返される間に、受信手段によりデータが受信され、入力手段が指示を受けたことに応じて、当該仮想ページに、前記受信手段により受信されたデータに基づく画像データを記憶することは、記載されていない。
　したがって、引用発明１の「ページ単位に画面表示を行う情報表示装置」において、上記相違点２及び３に係る本願発明１の構成を得ることは、当業者が容易に想到し得たことであるとはいえない。
　よって、本願発明１は、上記相違点１、４について検討するまでもなく、引用発明１、引用文献２−４、６に記載された事項に基づいて、当業者が容易に発明をすることができたとはいえない。
（２）引用発明２を主たる引用発明とした場合
ア　対比
　本願発明１と引用発明２を対比すると、上記相違点２及び３と同様の相違点を有する。
イ　判断
　上記相違点について検討する。
　引用文献１、３、４、６には、ユーザの操作により、表示されている画像を仮想ページ単位で操作する処理が繰返される間に、受信手段によりデータが受信され、入力手段が指示を受けたことに応じて、当該仮想ページに、前記受信手段により受信されたデータに基づく画像データを記憶することは、記載されていない。
　したがって、引用発明２の「映像描画装置」において、上記相違点に係る本願発明１の構成を得ることは、当業者が容易に想到し得たことであるとはいえない。
　よって、本願発明１は、他の相違点について検討するまでもなく、引用発明２、引用文献１、３、４、６に記載された事項に基づいて、当業者が容易に発明をすることができたとはいえない。
２　本願発明２−５について
　本願発明１を直接または間接的に引用する本願発明２−５は、本願発明１をさらに限定した発明であるから、本願発明１と同じ理由により、引用発明１、引用文献２−４、６に記載された事項に基づいて、当業者が容易に発明をすることができたとはいえず、引用発明２、引用文献１、３、４、６に記載された事項に基づいて、当業者が容易に発明をすることができたともいえない。
３　本願発明６、７について
　本願発明１を直接または間接的に引用する本願発明６、７は、本願発明１をさらに限定した発明であるから、本願発明１と同じ理由により、引用発明１、引用文献２−６に記載された事項に基づいて、当業者が容易に発明をすることができたとはいえず、引用発明２、引用文献１、３−６に記載された事項に基づいて、当業者が容易に発明をすることができたともいえない。
４　本願発明８について
　本願発明８は、本願発明１に対応する方法の発明であり、上記相違点２に係る本願発明１の「ユーザの操作により、表示されている画像を前記仮想ページ単位で操作する処理が繰返される間に、前記受信手段によりデータが受信され」及び上記相違点３に係る本願発明１の「前記入力手段が前記指示を受けたことに応じて」「当該仮想ページに、前記受信手段により受信されたデータに基づく画像データを記憶し」に対応する構成を備えるものであるから、本願発明１と同様の理由により、引用発明１、引用文献２−４、６に記載された事項に基づいて、当業者が容易に発明をすることができたとはいえず、引用発明２、引用文献１、３、４、６に記載された事項に基づいて、当業者が容易に発明をすることができたともいえない。
第６　原査定について
　審判請求時の補正により、本願発明１−８は、上記相違点２、３に係る「ユーザの操作により、表示されている画像を前記仮想ページ単位で操作する処理が繰返される間に、前記受信手段によりデータが受信され」「前記入力手段が前記指示を受けたことに応じて」「当該仮想ページに、前記受信手段により受信されたデータに基づく画像データを記憶し」という構成又は対応する構成を有するものとなっており、引用発明１、引用文献２−６に記載された事項に基づいて、当業者が容易に発明をすることができたとはいえず、引用発明２、引用文献１、３−６に記載された事項に基づいて、当業者が容易に発明をすることができたともいえない。
　したがって、原査定の理由を維持することはできない。
第７　むすび
　以上のとおり、原査定の拒絶の理由によっては、本願を拒絶することはできない。
　また、他に本願を拒絶すべき理由を発見しない。
　よって、結論のとおり審決する。